(57)【要約】      （修正有）【課題】３６０度スイングし、水管の移動方向に伴い角度を変えられる水管継手構造を提供する。【解決手段】水管継手は、本体１０と、回転台２０と、給水用スイングチャッキ３０と、施回支軸４０とを備える。回転台は、位置制御用ヘッド部２１と、底部区間に径方向通孔２３を有する凸部２２とからなる。スイングチャッキは、径方向通孔に対応する軸孔３１２が設けられ、凸部を間に挟む２つの縦向部３１１を備える。施回支軸は、軸孔と径方向通孔を通るように設けられる。【選択図】図１
0003177582.tif 000002
【実用新案登録請求の範囲】
【請求項１】
上部口と底部口とを備えてなる本体が備わり、該底部口にはベアリングリング、該本体の中央部には軸方向通水孔が設けられており、
位置制御用ヘッド部と凸部とを備えてなる回転台が備わり、該位置制御用ヘッド部は、該本体にあるベアリングリングの上に設けられ、該回転台が回転できるようになり、該凸部は、該本体の底部口にはみ出して、該凸部の底部区間が径方向通孔になるが、該回転台には、軸方向通水孔に合わせて通じている入水路が設けられており、
上部取付部と底部組立部とを備えてなる給水用スイングチャッキが備わり、該底部組立部は水管に接続していると同時に、その内部に軸方向に通じている給水路が設けられ、該上部取付部は、対向して間隔を開けて横方向に配置されている２つの縦向き部を備えてなり、該２つの縦向き部はいずれも、径方向通孔に対応した軸孔が設けられ、該回転台の凸部が２つの縦向き部の間に挟まれるように設けられており、
少なくとも、該給水用スイングチャッキの１つの縦向き部に設けられている水流孔が備わり、該水流孔は、該底部組立部にある給水路に通じるように設けられており、
該給水用スイングチャッキの縦向き部にある軸孔と該回転台の径方向通孔とを通るように設けられている旋回支軸が備わり、該給水用スイングチャッキのスイングを支持するためのユニットとして、該給水用スイングチャッキが横向きにスイングできることになっており、該旋回支軸は、給水用スイングチャッキの水流孔に対応した径方向水流ガイド区間を備えてなり、該径方向水流ガイド区間の片側には、該回転台の入水路に対応して通じる入水孔が備わっていることを特徴とする、
水管継手構造。
【請求項２】
該本体は、更に、雌ねじ山区間と止め縁とを備えてなり、そして、該本体の上部口の内部には、雌ねじ山区間と雄ねじ山区間とを備えてなるねじ締めユニットが設けられており、該雄ねじ山区間は、それにより、本体の雌ねじ山区間にかみ合わせ、ねじ締めユニットの底部を該止め縁に突き当てるように設けられていることを特徴とする、請求項１に記載の水管継手構造。
【請求項３】
該ベアリングリングは、回転台の位置制御用ヘッド部に突き当てるための肩部が設けられていることを特徴とする、請求項１に記載の水管継手構造。
【請求項４】
該底部組立部は更に、形状の異なる継手の水管に合わせるための給水継手が設けられていることを特徴とする、請求項１に記載の水管継手構造。
【考案の詳細な説明】
【技術分野】
【０００１】
本考案は、散水道具パーツに関し、特に、蛇口と水管をつなぐための水管継手構造のオリジナルな形態設計に関する。
【背景技術】
【０００２】
液体輸送管は、液体を輸送又は分流させるために利用されており、例えば、花壇や野菜畑などに輸送管を配置、花や草、各種の野菜に散水するようにし、自動散水灌漑への利用を実現することができる。
【０００３】
水管は、一般的には、直接に蛇口の給水口に嵌められるように利用されており、使用のとき、通常は該水管の片側を手で引きながら、左右、上下に移動したりするが、水管は曲げられる軟質構造をしており、蛇口の端部に嵌められているとき、水管がある角度で曲げられて、水の流れが塞がりがちになるが、そこで、その塞がり具合がひどい場合、水管と蛇口とをつないでいる箇所は、塞がられた強い水の流れからの衝撃を受け、爆裂したり、使用者に作業を阻害したりして、仕事に対する柔軟性が低下する状況になりやすいという問題点がある。その場合、水管による液体の輸送ができないどころか、大きな水資源の浪費にもなる。
【０００４】
それゆえ、上述した従来の構造に存在する問題点について、より理想的で実用性のあるオリジナルな構造を開発するのが、使用者の望むことであり、関連業者がそれを乗り越えるよう開発、努力すべき目標と方向でもある。
【０００５】
それに鑑みて、発明者は、関連製品の製造開発と設計に携わる長年の経験を持っており、上述した目標について詳しく設計、慎重に評価したうえ、ようやく実用性のある本考案を得られたのである。
【考案の概要】
【考案が解決しようとする課題】
【０００６】
本考案は、水管継手を提供することを目的とし、解決しようとする課題は、従来のものを改善して、より理想的で、実用性のある水管継手構造を開発することにある。
【課題を解決するための手段】
【０００７】
上部口と底部口、及び、ベアリングリングと軸方向通水孔とを備えてなる本体、位置制御用ヘッド部と凸部とを備えてなる回転台が備わり、該位置制御用ヘッド部は、該本体にあるベアリングリングの上に設けられ、該凸部は、該本体の底部口にはみ出して、該凸部の底部区間が径方向通孔になるが、該回転台には、軸方向通水孔に合わせて通じている入水路が設けられており、上部取付部と底部組立部と給水路とを備えてなる給水用スイングチャッキが備わり、該上部取付部は、対向して間隔を開けて横方向に配置されている２つの縦向き部を備えてなり、該２つの縦向き部はいずれも、径方向通孔に対応した軸孔が設けられ、該回転台凸部が二縦向き部の間に挟まれるように設けられており、それぞれ、該給水用スイングチャッキの左右にある縦向き部に設けられている２つの水流孔が備わり、該水流孔３４は、該底部組立部にある給水路に通じるように設けられており、該給水用スイングチャッキの縦向き部にある軸孔と、該回転台の径方向通孔を通るように設けられている旋回支軸とが備わり、該旋回支軸は、給水用スイングチャッキの水流孔に対応した径方向水流ガイド区間を備えてなり、該径方向水流ガイド区間の片側には、該回転台の入水路に対応して通じる入水孔が備わっていることを特徴とする該水管継手構造であり、このようなオリジナルな設計による本考案は、背景技術に対して、より便利に利用でき、仕事に対する柔軟性が向上するという実用性と進歩性がある。
【考案の効果】
【０００８】
本考案による効果向上の事実は次の通りである。
【０００９】
本考案に掲示されている水管継手構造は、本体、回転台、給水用スイングチャッキと旋回支軸とを備えてなるオリジナルな組立構造設計による本考案では、背景技術に対して、該水管継手はそれぞれ、回転台と給水用スイングチャッキにより、３６０度スイング可能で、横方向にスイングすることになっており、水管の移動方向に伴い、水管継手が多方向で作動できることになり、水管と水管継手とのつないでいる箇所が曲がったり変形したりして、水の流れが塞がったり、水管の爆裂で脱落したりするなどを避けられるので、より便利に利用でき、仕事に対する柔軟性が向上するという実用性と進歩性がある。
【００１０】
本考案による新しい効果は次の通りである。
【００１１】
該本体の上部口の内部に該ねじ締めユニットを設け、該ねじ締めユニットの底部を該止め縁に突き当てるように設けられていることから、該ねじ締めユニットと回転台との間に隙間が生じられ、該回転台が回転しているときにも、うまく行われるように設けられているという進歩性がある。
【００１２】
上述した実施例に掲示したのは、本考案を具体的に説明するための内容であり、文の中で専門用語で説明してきたが、それを以って。本考案の特許請求範囲を制限してはならず、また、当該技術分野が分かる者は、本考案のコンセプトや考えを理解したうえ、その改造や変更を行って、それと同等な効果を得たとしても、それらの改造や変更はいずれも後述した特許請求範囲に含まれるものとする。
【図面の簡単な説明】
【００１３】
【図１】本考案の好適な実施例を示す分解立体図である。
【図２】本考案の好適な実施例を示す分解断面図である。
【図３】本考案の好適な実施例を示す組立立体図である。
【図４】本考案の好適な実施例を示す組立断面図である。
【図５】本考案の給水用スイングチャッキがスイングしているときの作動を示す断面図である。
【図６】本考案の好適な実施例の使用状態を示す断面図である。
【考案を実施するための形態】
【００１４】
図１乃至４に示すのは、本考案の水管継手構造の好適な実施例であり、これらの実施例は説明のみに用いられるもので、特許請求の際、それらの構造に制限されないものとする。
【００１５】
該水管継手構造は、水管に接続する役割を果すように利用されており（図６）、
上部口１１と底部口１２を備えてなる本体１０が備わり、該底部口１２にはベアリングリング１３、該本体１０の中央部には軸方向通水孔１４が設けられており、
本体１０の上部口１１に設けられているねじ締めユニット１５が備わり、該ねじ締めユニット１５は、雌ねじ山区間１５１と雄ねじ山区間１５２を備えてなり、それにより、該雄ねじ山区間１５２は、本体１０の雌ねじ山区間１０１にかみ合わせ、ねじ締めユニット１５の底部を該止め縁１０２に突き当て、雌ねじ山区間１５１は、該取付本体０６（例えば、蛇口）の底部にある雄ねじ山区間０６１にかみ合わせ、該ねじ締めユニット１５の底部を該止め縁１０２に突き当てるように設けられ、該ねじ締めユニット１５と後述の該回転台２０との間に隙間が生じられ、該回転台２０が回転しているときにも、うまく行われるように設けられているが、
該ねじ締めユニット１５の底部と止め縁１０２との間に、防水リング１７が設けられており、
位置制御用ヘッド部２１と凸部２２とを備えてなる回転台２０が備わり、該位置制御用ヘッド部２１は、該本体１０にあるベアリングリング１３の上に設けられ、該回転台２０が回転できるようになり、該凸部２２は、該本体１０の底部口１２にはみ出して、該凸部２２の底部区間が径方向通孔２３になるが、該回転台２０には、軸方向通水孔１４に合わせて通じている入水路２４が設けられており、  
上部取付部３１と底部組立部３２を備えてなる給水用スイングチャッキ３０が備わり、該底部組立部３２は、水管０５の継手０５１に接続し、該底部組立部３２の内部に軸方向に通じている給水路３３が設けられ、該上部取付部３１は、対向して間隔を開けて横方向に配置されている２つの縦向き部３１１を備えてなり、該２つの縦向き部３１１はいずれも、径方向通孔２３に対応した軸孔３１２が設けられ、該回転台２０の凸部２２が２つの縦向き部３１１の間に挟まれるように設けられており、
該底部組立部３２は更に、形状の異なる継手０５１の水管０５が設けられており、
それぞれ、該給水用スイングチャッキ３０の左右にある縦向き部３１１に設けられている２つの水流孔３４が備わり、該水流孔３４は、該底部組立部３２にある給水路３３に通じるように設けられており、
該給水用スイングチャッキ３０の縦向き部３１１にある軸孔３１２、及び該回転台２０の径方向通孔２３を通るように設けられている旋回支軸４０が備わり、該給水用スイングチャッキ３０のスイングを支持するためのユニットとして、該給水用スイングチャッキ３０が横向きにスイングできることになっており（図５）、該旋回支軸４０は、給水用スイングチャッキ３０の水流孔３４に対応した径方向水流ガイド区間４１を備えてなり、該径方向水流ガイド区間４１の片側には、該回転台２０の入水路２４に対応して通じる入水孔４１１が備わっており、
該ベアリングリング１３は、回転台２０の位置制御用ヘッド部２１に突き当てるための肩部１３１が設けられていることを特徴とする。
【００１６】
本考案に掲示されている水管継手構造の中核設計として、該水管継手は、回転台２０と給水用スイングチャッキ３０とが設けられているところにあり、それにより、水管継手は、回転、横方向にスイング、角度変化が可能になる機能を兼ね備えたものであるため、水管０５が水管継手に嵌められているとき、水管０５とつないでいる箇所は、うまく伸ばされるようになり、使用者が好きなように水管を移動しても、水管継手が水管の方向に従って角度が変えられ、水管が曲がったりして、水の流れが塞がったりすることを避けられ、それに、水管０５と取付本体０６とのつないでいる箇所が爆裂したりして抜けたりすることを防げるので、より便利に利用できる。
【００１７】
図４は、水の流れの経路を示しているが、水の流れが本体１０の軸方向通水孔１４から入っているとき、回転台２０の入水路２４へ流れ、それから、旋回支軸４０の入水孔４１１を経て、径方向水流ガイド区間４１へと流れており、該水の流れが、横方向に給水用スイングチャッキ３０の水流孔３４へと入り、最後に、給水用スイングチャッキ３０の給水路３３を通って、出水管０５から出て、使用者に用いられることになっている（矢印の表示方向を参考のこと）。
【符号の説明】
【００１８】
０５    水管
０６    取付本体
１０    本体
１１    上部口
１２    底部口
１３    ベアリングリング
１４    軸方向通水孔
１５    ねじ締めユニット
１７    防水リング
２０    回転台
２１    位置制御用ヘッド部
２２    凸部
２３    径方向通孔
２４    入水路
３０    給水用スイングチャッキ
３１    上部取付部
３２    底部組立体
３３    給水路
３４    流水孔
４０    旋回支軸
４１    径方向水流ガイド区間
０５１  継手
１０２  止め縁
１３１  肩部
１５１  雌ねじ山区間
１５２  雄ねじ山区間
３１１  縦向き部
３１２  軸孔
４１１  入水孔
【図１】
0003177582.tif 000003
【図２】
0003177582.tif 000004
【図３】
0003177582.tif 000005
【図４】
0003177582.tif 000006
【図５】
0003177582.tif 000007
【図６】
0003177582.tif 000008